(57)【特許請求の範囲】
【請求項１】
ベッド毎に設置されて呼出操作が行われるナースコール子機と、
前記ベッドのうちの特定ベッドの患者を撮影するカメラと、
前記ナースコール子機からの呼出に応答するためのナースコール親機と、を備え、
前記ナースコール親機は、
親機表示部と、
患者情報を記憶する親機記憶部と、
前記ナースコール子機からの呼出時に、前記親機記憶部に記憶された患者情報から呼出操作が行われたナースコール子機が設置された前記ベッドの患者の患者情報を取り出し、当該患者情報からなる患者情報表示を前記親機表示部に表示させる親機表示制御部と、
を有し、
前記親機表示制御部は、呼出操作が前記特定ベッドに設置されたナースコール子機で行われた場合に、前記カメラで撮影される映像を含む当該特定ベッドの患者情報表示を前記親機表示部に表示させるとともに、前記カメラで撮影される映像を前記患者情報表示での表示範囲よりも大きな表示範囲の大画面表示で前記親機表示部へ表示させる大画面処理を実行し、
さらに、
前記親機表示制御部は、前記ナースコール子機の呼出が重複した場合に、前記大画面表示を禁止する大画面表示禁止処理を実行する、
ナースコールシステム。
【請求項２】
前記親機表示制御部は、前記ナースコール子機の呼出が緊急呼出である場合に、前記大画面表示禁止処理を解除する、請求項１に記載のナースコールシステム。
【請求項３】
前記親機表示制御部は、前記ナースコール子機の呼出が緊急呼出である場合に、その後に重複する前記ナースコール子機の呼出に対して前記患者情報表示を禁止する患者情報表示禁止処理を実行する、請求項１または請求項２に記載のナースコールシステム。
【発明の詳細な説明】
【技術分野】
【０００１】
本発明は、ナースコールシステムに関する。
【背景技術】
【０００２】
ナースコールシステムには、ナースコール子機で呼出操作が行われることで、呼出元の患者を撮影したカメラの映像を、患者情報とともにナースコール親機に表示させるものがある（例えば、特許文献１参照）。このナースコールシステムでは、ナースコール親機に表示された患者の映像を確認することで、患者の状態を迅速に把握することができる。
【先行技術文献】
【特許文献】
【０００３】
【特許文献１】特開２００５−１５１４５０号公報
【発明の概要】
【発明が解決しようとする課題】
【０００４】
しかしながら、従来のナースコールシステムでは、ナースコール子機での呼び出し操作によってナースコール親機に表示される患者の映像は、患者情報を表示するポップアップ表示の一画の狭い範囲に表示されるため、その狭い範囲の映像からでは、患者の様子が把握しづらかった。このため、看護師等の医療従事者は、ナースコール親機を操作してポップアップ表示の一画に表示されている患者の映像を拡大表示させて患者の様子を把握しなければならず、手間を要していた。
【０００５】
本発明は、拡大表示のための操作を要さずに患者からの呼出時に患者の様子をわかりやすく表示して、適切な対応を可能とするナースコールシステムを提供することを目的とする。
【課題を解決するための手段】
【０００６】
本発明にかかるナースコールシステムは、
ベッド毎に設置されて呼出操作が行われるナースコール子機と、
前記ベッドのうちの特定ベッドの患者を撮影するカメラと、
前記ナースコール子機からの呼出に応答するためのナースコール親機と、を備え、
前記ナースコール親機は、
親機表示部と、
患者情報を記憶する親機記憶部と、
前記ナースコール子機からの呼出時に、前記親機記憶部に記憶された患者情報から呼出操作が行われたナースコール子機が設置された前記ベッドの患者の患者情報を取り出し、当該患者情報からなる患者情報表示を前記親機表示部に表示させる親機表示制御部と、を有し、
前記親機表示制御部は、呼出操作が前記特定ベッドに設置されたナースコール子機で行われた場合に、前記カメラで撮影される映像を含む当該特定ベッドの患者情報表示を前記親機表示部に表示させるとともに、前記カメラで撮影される映像を前記患者情報表示での表示範囲よりも大きな表示範囲の大画面表示で前記親機表示部へ表示させる大画面処理を実行する。
【０００７】
この構成のナースコールシステムによれば、カメラの映像が大画面表示で親機表示部に表示されるので、医療従事者は、この映像を観察することで、ナースコール親機で患者の様子を的確に把握することができる。これにより、医療従事者は、患者情報表示の情報と大画面表示のカメラの映像とから患者に対して適切に（例えば必要に応じて迅速に）対応することができる。また、映像を拡大表示させるための操作が不要であるので、医療従事者への負担を軽減させつつ容易に患者の様子を把握させることができる。
【０００８】
また、本発明のナースコールシステムにおいて、前記親機表示制御部は、前記ナースコール子機の呼出が重複した場合に、大画面表示を禁止する大画面表示禁止処理を実行するものでもよい。
【０００９】
この構成のナースコールシステムによれば、ナースコール子機の呼出が重複した場合に、大画面表示が表示されない。このため、呼出を行った複数の患者の患者情報表示を親機表示部に表示させるエリアを確保することができ、医療従事者はこれらの患者情報表示から呼出した全ての患者を迅速に把握することができる。
【００１０】
また、本発明のナースコールシステムにおいて、前記親機表示制御部は、前記ナースコール子機の呼出が緊急呼出である場合に、前記大画面表示禁止処理を解除するものでもよい。
【００１１】
この構成のナースコールシステムによれば、緊急呼出の対象の患者の映像が大画面表示されることとなるので、医療従事者は、その大画面表示を観察することで、緊急に対処する必要がある患者の様子を的確に把握し、適切に対応することができる。
【００１２】
また、本発明のナースコールシステムにおいて、前記親機表示制御部は、前記ナースコール子機の呼出が緊急呼出である場合に、その後に重複する前記ナースコール子機の呼出に対して前記患者情報表示を禁止する患者情報表示禁止処理を実行するものでもよい。
【００１３】
この構成のナースコールシステムによれば、緊急呼出の対象の患者の映像が大画面表示された状態では、その後に重複してナースコール子機から呼出があっても、緊急呼出の対象の患者の大画面表示による映像の表示が維持される。したがって、医療従事者は、その大画面表示を観察することで、緊急に対処する必要がある患者の様子を的確に把握し、適切に対応することができる。
【発明の効果】
【００１４】
本発明によれば、拡大表示のための操作を要さずに患者からの呼出時に患者の様子をわかりやすく表示して、適切な対応を可能とするナースコールシステムを提供することができる。
【図面の簡単な説明】
【００１５】
【図１】本実施形態に係るナースコールシステムの構成図である。
【図２】図１に示すナースコールシステムにおける制御機の機能ブロック図である。
【図３】図１に示すナースコールシステムにおけるナースコール親機の機能ブロック図である。
【図４】ナースコール親機に表示される表示例を示す図であって、（ａ）は患者情報表示の表示例、（ｂ）は患者情報表示及び大画面表示の表示例、（ｃ）は複数の患者情報表示の表示例である。
【発明を実施するための形態】
【００１６】
以下、本発明に係るナースコールシステムの実施形態の一例について、図面を参照して詳細に説明する。
【００１７】
図１は、本実施形態に係るナースコールシステム１の構成図である。
図１に示すように、ナースコールシステム１は、複数の（本例では４つの）ナースコール子機２ａ，２ｂ，２ｃ，２ｄ（以下、総称する場合はナースコール子機２と称する）と、ナースコール親機３と、複数の（本例では２つの）廊下灯４ａ，４ｂ（以下、総称する場合は廊下灯４と称する）と、制御機５と、複数の（本例では４つの）携帯端末６ａ，６ｂ，６ｃ，６ｄ（以下、総称する場合は携帯端末６と称する）と、複数の（本例では２つの）カメラ９ａ，９ｂ（以下、総称する場合はカメラ９と称する）と、基地局６１と、交換機６２と、を備えている。また、ナースコールシステム１にはハブ（ＨＵＢ）１５を介してオーダリングシステム７が接続されている。
ナースコールシステム１は、例えば患者を収容する病院等の医療，介護施設内に設置されている。
【００１８】
ナースコール子機２は、患者が看護師等の医療従事者を呼び出して通話を行うためのものであり、病室内の病床（ベッド）毎に設置されている。ナースコール子機２は、プレート子機２１と、握り子機２２と、を有している。プレート子機２１は、マイクとスピーカを備え、各患者のベッドの上方の壁面に設置されている。マイク及びスピーカは患者が看護師との間で相互に通話を行うためのものである。握り子機２２は、呼出ボタンを備え、プレート子機２１にケーブルで接続されている。呼出ボタンは病室内の患者が看護師を呼び出すためのボタンである。ナースコール子機２は、通信ケーブルを通じて廊下灯４に接続されている。
【００１９】
廊下灯４は、各患者からの呼出を検出してその呼出を病室外へ報知するものであり、病室の入口付近に設置されている。本例の廊下灯４は、ハブ１５を経由して制御機５と接続されている。本例の廊下灯４には、液晶表示部４１が設けられていて、ナースコール子機２から呼び出しがあると、呼び出しをした患者の名前等の患者情報が液晶表示部４１に表示されるように構成されている。さらに、ナースコール子機２から呼び出しがあると、廊下灯４に設けられた表示ランプ４２が例えば点滅するように構成されている。
【００２０】
カメラ９は患者を撮影するためのものである。カメラ９は、ベッド近傍に設置されるもので、例えば、集中看護が必要な患者等が使用する特定ベッドに設置される。カメラ９は、ハブ１５を経由してナースコール親機３及び制御機５と通信可能とされている。
【００２１】
ナースコール親機３は、患者からの呼び出しに看護師が応答して通話を行ったり、患者や看護師等の情報を表示する機能を有するものである。ナースコール親機３は、スタッフステーション等の施設内共用部に設置されている。ナースコール親機３は、大型モニタ（親機表示部の一例）３１と、小型モニタ３２と、通話部３３と、を有している。
【００２２】
大型モニタ３１は、例えば２４型の縦長のタッチパネル画面で構成されており、ナースコール親機３の操作部としても機能することが可能である。小型モニタ３２は、例えば７型の横長のタッチパネル画面で構成されている。
【００２３】
通話部３３は、患者からの呼出音および患者の音声を出力するスピーカと、患者の呼び出しに看護師が応答して通話を行うための送受話器と、を有している。
【００２４】
制御機５は、中継器として設置されており、接続されている各機器の呼出制御あるいは通話制御等を行なうものである。制御機５は、ハブ１５及び通信ケーブルを介して、廊下灯４、ナースコール親機３、後述する交換機（例えばＩＰ  ＰＢＸ）６２、オーダリングシステム７、カメラ９と接続されている。
【００２５】
携帯端末６は、ナースコール子機２からの呼び出しを通知するとともに呼び出しに応答して患者と通話するためのものであり、各看護師によって携帯されている。携帯端末６には表示画面が設けられており、ナースコール子機２からの呼び出しが有ると、呼出元である患者の病室番号、ベッド番号、名前等が表示される。携帯端末６としては、例えばＰＨＳ６ａ，６ｂやスマート端末６ｃ，６ｄ等が用いられ、各携帯端末６ａ，６ｂ，６ｃ，６ｄは個別の端末番号を有している。
【００２６】
基地局６１は、携帯端末６との間で無線通信を行うためのものであり、スタッフステーションの近辺、および施設内でスタッフステーションから離れた場所に所定の間隔で設置されている。交換機６２は、携帯端末６とナースコール子機２とを接続するためのものであり、スタッフステーション内または施設内の共用部に設置されている。交換機６２は、通信ケーブルを通じて制御機５に接続されている。また、交換機６２は、ハブ１５を経由してナースコール子機２と接続されている。
【００２７】
オーダリングシステム７は、各患者の患者情報を含む病院に関する情報を一括して管理するものであり、例えば施設の管理室等の所定の場所に設置されている。
【００２８】
図２は、制御機５の機能ブロック図である。
図２に示すように、制御機５は、ＣＰＵ５１と、ＣＰＵ５１に接続された記憶部５２、廊下灯インターフェース回路（以下、インターフェース回路を「Ｉ／Ｆ」と称す）５３、親機Ｉ／Ｆ５４、交換機Ｉ／Ｆ５５、オーダリングＩ／Ｆ５６、及びカメラＩ／Ｆ５７と、を備えている。
【００２９】
廊下灯Ｉ／Ｆ５３は、廊下灯４と信号伝送路を形成するための通信部を構成している。親機Ｉ／Ｆ５４は、ナースコール親機３と信号伝送路を形成するための通信部を構成している。交換機Ｉ／Ｆ５５は、交換機６２と信号伝送路を形成するための通信部を構成している。オーダリングＩ／Ｆ５６は、オーダリングシステム７と信号伝送路を形成するための通信部を構成するとともに、オーダリングシステム７で管理されている情報を受信するための回路である。カメラＩ／Ｆ５７は、カメラ９との信号伝送路を形成するための通信部を構成している。
【００３０】
記憶部５２には、患者情報記憶部５２ａと、勤務情報記憶部５２ｂと、レイアウト情報記憶部５２ｃと、カメラ情報記憶部５２ｄとが設けられている。患者情報記憶部５２ａには、現在入院している患者の入院日、退院予定日、氏名、性別、年齢、主担当看護師と副担当看護師を含む担当情報、担当医師、病室番号、ベッド番号、感染症情報、救護区分、食事制限の有無、看護必要度、投薬情報などを含んで構成される患者情報が記憶されている。また、患者情報記憶部５２ａには、現在入院している患者だけでなく入院予定の患者の患者情報も含まれる。本例では、患者情報は、オーダリングシステム７から例えば定期的に送信されてきて患者情報記憶部５２ａに記憶されている。
【００３１】
勤務情報記憶部５２ｂには、各看護師の勤務情報が記憶されている。勤務情報は、例えば一か月単位で、各看護師の勤務日（勤務予定日を含む）、勤務帯（例えば３勤制であれば、日勤、夜勤、準夜勤のいずれか）、休暇日（休暇予定日を含む）等の勤怠に関する情報で構成されている。本例では、勤務情報は、オーダリングシステム７から例えば定期的に送信されてきて勤務情報記憶部５２ｂに記憶されている。
【００３２】
レイアウト情報記憶部５２ｃには、病院の所定のエリア（特定の病棟やフロアなど）における各病室の配置関係を示すレイアウト情報が記憶されている。レイアウト情報には、各病室の病室番号や各患者のベッド番号を特定するための情報も含まれており、患者情報に含まれる各患者の病室情報やベッド番号と対応づけることで、所定のエリアでどの位置にあるどの病室にどの患者が入院しているかを対応づけることができるものである。
【００３３】
映像信号記憶部５２ｄには、カメラ９で撮影された映像信号が設定に応じて記憶される。
【００３４】
ＣＰＵ５１は、例えば、記憶部５２に記憶される情報の送受信等の管理、ナースコール子機２からの呼び出しに対する携帯端末６の特定等を行っている。携帯端末６を特定する際には、担当看護師とその看護師が携帯する携帯端末６との対応テーブルが用いられる。
【００３５】
図３は、ナースコール親機３の機能ブロック図である。
図３に示すように、ナースコール親機３は、ＣＰＵ（親機表示制御部の一例）３６と、制御機Ｉ／Ｆ３７と、記憶部（親機記憶部の一例）３８と、を備えている。ＣＰＵ３６は、大型モニタ３１と、小型モニタ３２と、通話部３３と接続され、これらの動作を制御する。
【００３６】
制御機Ｉ／Ｆ３７は、制御機５と信号伝送路を形成するための通信部を構成している。
【００３７】
記憶部３８には、制御機５の記憶部５２に記憶された患者情報、勤務情報、レイアウト情報、映像信号が記憶されている。本例では、これらの情報は、制御機５から例えば定期的に送信されてきて記憶部３８に記憶される。
【００３８】
ＣＰＵ３６は、例えば、記憶部３８に記憶された患者情報、勤務情報、レイアウト情報、映像信号に基づいて、小型モニタ３２及び大型モニタ３１に表示させる画面を形成する処理を行う。なお、ナースコール親機３がカメラ９から映像信号を直接受信して、ＣＰＵ３６が、記憶部３８に記憶された患者情報、勤務情報、レイアウト情報及びカメラ９からの映像信号に基づいて、小型モニタ３２及び大型モニタ３１に表示させる画面を形成する処理を行っても良い。
【００３９】
次に、ナースコール子機２からの呼出時におけるナースコール親機３での表示について説明する。
図４は、ナースコール親機に表示される表示例を示す図であって、（ａ）は患者情報表示の表示例、（ｂ）は患者情報表示及び大画面表示の表示例、（ｃ）は複数の患者情報表示の表示例である。
【００４０】
（１）単独呼出時
（一般ベッドからの呼出時）
カメラ９が設置された特定ベッド以外の一般ベッドのナースコール子機２から呼出がされると、呼出信号を受けたナースコール親機３では、ＣＰＵ３６が、呼出信号に含まれる患者特定情報に基づいて、呼出操作が行われたナースコール子機２が設置されたベッドの患者の患者情報を記憶部３８から引き出す。
【００４１】
図４（ａ）に示すように、ＣＰＵ３６は、記憶部３８から取り出した呼出患者の患者情報に基づいて、患者情報からなる患者情報表示Ｇｐを大型モニタ３１に表示させる。
【００４２】
患者情報表示Ｇｐは、例えば、ポップアップ表示として待受画面ＭＧに重ねて表示される。なお、待受画面ＭＧとしては、例えば、入院患者の患者情報の一覧表示画面である。待受画面ＭＧとしては、病院の所定のエリア（例えば内科病棟など）における各病室のレイアウトが示されたレイアウト画面などにも切り替えられる。
【００４３】
ポップアップ表示からなる患者情報表示Ｇｐには、ナースコール呼出であることが表示されるとともに、患者の氏名、主担当看護師と副担当看護師を含む担当情報、担当医師、病室番号、ベッド番号などが表示される。
【００４４】
これにより、看護師は、この画面のポップアップ表示された患者情報表示Ｇｐにより、呼出している患者を迅速に確認して対処することができる。
【００４５】
（特定ベッドからの呼出時）
カメラ９が設置された特定ベッドの患者のナースコール子機２から呼出がされると、呼出信号を受けたナースコール親機３では、ＣＰＵ３６が、呼出信号に含まれる患者特定情報に基づいて、呼出操作が行われたナースコール子機２が設置されたベッドの患者の患者情報を記憶部３８から引き出す。
【００４６】
図４（ｂ）に示すように、ＣＰＵ３６は、記憶部３８から取り出した呼出患者の患者情報に基づいて、患者情報からなる患者情報表示Ｇｐを大型モニタ３１に表示させる。また、ＣＰＵ３６は、制御機５を介してカメラ９から受信した映像信号の映像Ｇｓを、患者情報と併せて患者情報表示Ｇｐの一画に表示させる。
【００４７】
さらに、ＣＰＵ３６は、ナースコール子機２による呼出が特定ベッドからのものであることから、大画面処理を実行する。この大画面処理では、ＣＰＵ３６は、カメラ９で撮影される映像からなる大画面映像表示（大画面表示の一例）ＧＬを大型モニタ３１に表示させる。この大画面映像表示ＧＬは、患者情報表示Ｇｐでの表示範囲よりも大きな表示範囲を有するもので、本例では患者情報表示Ｇｐの下方側に表示される。この大画面映像表示ＧＬには、ズームボタンＺｍが設けられており、このズームボタンＺｍをタッチ操作することで、映像のズームイン及びズームアウトができる。
【００４８】
これにより、看護師は、この画面のポップアップ表示された患者情報表示Ｇｐにより、呼出している患者を迅速に確認するとともに、大画面映像表示ＧＬの映像から患者の状態を把握して対処することができる。
【００４９】
（２）重複呼出時
（通常呼出の重複時）
ナースコール子機２による呼出が重複する場合、ナースコール子機２の呼出信号を受信したナースコール親機３のＣＰＵ３６は、大画面映像表示禁止処理を実行する。
【００５０】
ＣＰＵ３６が、大画面映表示禁止処理を実行すると、ＣＰＵ３６は、それぞれの呼出信号に含まれる患者特定情報に基づいて、呼出操作が行われたナースコール子機２が設置されたベッドの患者の患者情報を記憶部３８からそれぞれ引き出す。
【００５１】
図４（ｃ）に示すように、ＣＰＵ３６は、記憶部３８から取り出したそれぞれの呼出患者の患者情報に基づいて、患者情報からなる患者情報表示Ｇｐを大型モニタ３１に並べて表示させる。このとき、呼出信号が特定ベッドのナースコール子機２からのものであったとしても、大画面表示禁止処理を実行しているＣＰＵ３６は、大画面映像表示ＧＬを表示させず、それぞれの患者の患者情報表示Ｇｐだけを表示させる。
【００５２】
これにより、看護師は、この画面のポップアップ表示されたそれぞれの患者情報表示Ｇｐにより、呼出しているそれぞれの患者を迅速に確認することができる。
【００５３】
なお、ＣＰＵ３６は、呼出が特定ベッドのナースコール子機２である場合、カメラ９から受信した映像信号の映像Ｇｓを患者情報と併せて患者情報表示Ｇｐの一画に表示させる。
【００５４】
一般ベッドからの呼出により患者情報表示Ｇｐが表示されている状態（図４（ａ）参照）で、その後に特定ベッドから呼出が行われて呼出が重複すると、ＣＰＵ３６は、大画面表示禁止処理を実行し、その後の特定ベッドからの呼出についても大画面映像表示ＧＬの表示を行うことなく、カメラ３６で撮影された映像を含む患者情報表示Ｇｐを、通常呼出による患者情報表示Ｇｐと並べて表示する（図４（ｃ）参照）。
【００５５】
特定ベッドからの呼出により患者情報表示Ｇｐ及び大画面映像表示ＧＬが表示されている状態（図４（ｂ）参照）で、その後に一般ベッドから呼出が行われて呼出が重複すると、ＣＰＵ３６は、大画面表示禁止処理を実行し、特定ベッドからの呼出については、カメラ３６で撮影された映像Ｇｓを含む患者情報表示Ｇｐだけの表示とし、その後の通常呼出による患者情報表示Ｇｐと並べて表示させる（図４（ｃ）参照）。
【００５６】
特定ベッドからの呼出により患者情報表示Ｇｐ及び大画面映像表示ＧＬが表示されている状態（図４（ｂ）参照）で、その後に特定ベッドから呼出が行われて呼出が重複すると、ＣＰＵ３６は、大画面表示禁止処理を実行し、先の特定ベッドからの呼出については、カメラ９で撮影された映像Ｇｓを含む患者情報表示Ｇｐだけの表示とし、その後の特定ベッドからの呼出については、カメラ３６で撮影された映像Ｇｓを含む患者情報表示Ｇｐだけの表示とし、これらの映像を含む患者情報表示Ｇｐを並べて表示させる。
【００５７】
（通常呼出後の緊急呼出の重複時）
ナースコール子機２からの呼出によって患者情報表示Ｇｐが表示されている状態（図４（ａ）参照）で、特定ベッドから緊急呼出が行われて呼出が重複すると、ＣＰＵ３６は、重複呼出時に行う大画面表示禁止処理を解除する。緊急呼出は、例えば、看護師等のスタッフによる呼出などで緊急性を有する呼出である。ＣＰＵ３６は、大画面表示禁止処理を解除することで、図４（ｂ）に示すように、緊急呼出されている特定ベッドのカメラ９で撮影された画像を大画面映像表示ＧＬで表示させる。
【００５８】
これにより、看護師は、緊急呼出の対象の患者の大画面映像表示ＧＬで表示されている映像を観察することで、緊急に対処する必要がある患者の様子を的確に把握し、適切に対応することができる。
【００５９】
なお、先に表示されていた通常呼出の患者情報表示Ｇｐは、その表示範囲を小さくして表示させても良い。
【００６０】
（緊急呼出後の通常呼出の重複時）
緊急呼出によって患者情報表示Ｇｐとともに大画面映像表示ＧＬで緊急呼出の対象の患者のカメラ９での映像が表示されている状態（図４（ｂ）参照）で、ＣＰＵ３６は、患者情報表示Ｇｐを禁止する患者情報表示禁止処理を実行する。ＣＰＵ３６は、患者情報表示禁止処理を実行することで、その後にナースコール子機２から呼出が重複した際に、その呼出に対して患者情報表示Ｇｐを表示させず、緊急呼出の患者情報表示Ｇｐ及び大画面映像表示ＧＬを表示した状態に維持する。
【００６１】
これにより、看護師は、緊急呼出の対象の患者の大画面映像表示ＧＬで表示されている映像を引き続き観察することで、緊急に対処する必要がある患者の様子を的確に把握し、適切に対応することができる。
【００６２】
このように、本実施形態に係るナースコールシステム１によれば、特定ベッドからの呼出時に、カメラ９の映像が大画面映像表示ＧＬでナースコール親機３の大型モニタ３１に表示される。看護師等の医療従事者は、この映像を観察することで、ナースコール親機３で患者の様子を的確に把握することができる。これにより、医療従事者は、患者情報表示Ｇｐの情報と大画面映像表示ＧＬのカメラ９の映像とから患者に対して適切に（例えば必要に応じて迅速に）対応することができる。また、映像を拡大表示させるための操作が不要であるので、看護師等への負担を軽減させつつ容易に患者の様子を把握させることができる。
【００６３】
また、ナースコール子機２の通常呼出が重複した場合に、大画面映像表示ＧＬが表示されない。このため、呼出を行った複数の患者の患者情報表示Ｇｐをナースコール親機３の大型モニタ３１に表示させるエリアを確保することができ、医療従事者は、これらの患者情報表示Ｇｐから、呼出している全ての患者を迅速に把握することができる。
【００６４】
さらに、呼出が重複していても、ナースコール子機２の呼出が緊急呼出である場合に、大画面表示禁止処理を解除するので、緊急呼出の対象の患者の映像が大画面映像表示ＧＬで表示されることとなる。これにより、医療従事者は、その大画面映像表示ＧＬを観察することで、緊急に対処する必要がある患者の様子を的確に把握し、適切に対応することができる。
【００６５】
また、ナースコール子機２の呼出が緊急呼出である場合に、その後に重複するナースコール子機２の呼出に対して患者情報表示Ｇｐを禁止する患者情報表示禁止処理を実行する。このため、緊急呼出の対象の患者の映像が大画面映像表示ＧＬされた状態では、その後に重複してナースコール子機２から呼出があっても、緊急呼出の対象の患者の大画面映像表示ＧＬによる映像の表示が維持される。したがって、医療従事者は、その大画面映像表示ＧＬを引き続き観察することで、緊急に対処する必要がある患者の様子を的確に把握し、適切に対応することができる。
【００６６】
なお、上記実施形態では、患者情報表示Ｇｐ及び大画面映像表示ＧＬを大型モニタ３１に表示させたが、小型モニタ３２に表示させても良く、また、大型モニタ３１及び小型モニタ３２の両方に表示させても良い。
【符号の説明】
【００６７】
１：ナースコールシステム、２：ナースコール子機、９：カメラ、３：ナースコール親機、３１：大型モニタ（親機表示部の一例）、３２：小型モニタ（親機表示部の一例）、３６：ＣＰＵ（親機表示制御部の一例）、３８：記憶部（親機記憶部の一例）、ＧＬ：大画面画像表示（大画面表示の一例）、Ｇｐ：患者情報表示
【図１】
0006387316.tif 000002
【図２】
0006387316.tif 000003
【図３】
0006387316.tif 000004
【図４】
0006387316.tif 000005